(57)【要約】【課題】  エンジンの燃焼室温を適切な温度に維持する蓄熱システムを備える車両の制御装置を提供する。【解決手段】  エンジンＥＣＵ１０００は、内燃機関の燃焼室温度が所定の上限温度に到達しないように、蓄熱タンク３１０内の液媒体のエンジンへの供給および供給の停止を行なうように、電動ポンプ３００や流量制御弁４３０、三方弁６００を制御する。エンジンＥＣＵ１０００は、エンジンの始動時に蓄熱タンク３１０内に流路から回収した冷水を、高負荷状態が検出された場合にエンジンに供給する。燃焼室を通過した冷却水の上限温度目標値であるしきい値温度は、エンジンの負荷状態に対応してエンジンにノッキングが発生しない温度範囲内に定められる。エンジンＥＣＵ１０００は、このしきい値温度を超えないようにエンジンの負荷状態に応じてラジエータ４００等による放熱能力を調整し、かつ蓄熱タンクの冷却水を使用する。【選択図】        図１
2006207448.tif 000002
【特許請求の範囲】
【請求項１】
内燃機関に設けられた流路を循環する液媒体の一部を保温貯蔵するための貯蔵部と、前記貯蔵部内の液媒体を前記内燃機関との間で循環させるための循環部とが搭載された車両の制御装置であって、
前記内燃機関の温度を検知する第１の検知部と、
前記内燃機関の負荷状態を検知する第２の検知部と、
前記内燃機関の燃焼室温度が所定の上限温度に到達しないように定められたしきい値温度と前記検知された内燃機関の温度とに基づいて、前記貯蔵部内の液媒体の前記内燃機関への供給および前記供給の停止を行なうように、前記循環部を制御するための制御部とを備え、
前記しきい値温度は、前記負荷状態に対応する前記内燃機関にノッキングが発生しない温度範囲内に定められ、前記負荷状態が通常負荷状態である場合よりも負荷の高い高負荷状態である場合のほうが低く定められる、車両の制御装置。
【請求項２】
前記制御部は、前記内燃機関の始動時に前記貯蔵部内に前記流路から回収した前記液媒体を、前記高負荷状態が検出された場合に前記内燃機関に供給する、請求項１に記載の車両の制御装置。
【請求項３】
前記第２の検知部は、前記内燃機関を通過した前記液媒体の温度に基づいて前記負荷状態を検知する、請求項１に記載の車両の制御装置。
【請求項４】
前記第２の検知部は、前記内燃機関の吸気量に基づいて前記負荷状態を検知する、請求項１に記載の車両の制御装置。
【請求項５】
前記第２の検知部は、前記内燃機関の回転数に基づいて前記負荷状態を検知する、請求項１に記載の車両の制御装置。
【請求項６】
前記第２の検知部は、前記内燃機関のスロットル開度に基づいて前記負荷状態を検知する、請求項１に記載の車両の制御装置。
【請求項７】
前記通常負荷状態に対応する前記しきい値温度は、前記高負荷状態に対応する前記しきい値温度よりも１０℃以上高く定められる、請求項１〜６のいずれか１項に記載の車両の制御装置。
【請求項８】
前記車両は、
内燃機関から送出される前記液媒体の放熱を行なう放熱部と、
前記貯蔵部から送出される前記液媒体をと前記内燃機関に導くように構成された第１の経路と、
前記液媒体を前記貯蔵部に取込むとともに前記貯蔵部に貯蔵されていた液媒体を前記内燃機関に向けて放出させる第１のポンプと、
前記放熱部から送出される前記液媒体を前記内燃機関に導くように構成された第２の経路と、
前記第２の経路上に配置され前記液媒体を前記内燃機関に向けて送出する第２のポンプとを備える、請求項１に記載の車両の制御装置。
【請求項９】
前記放熱部は、
ラジエータと、
前記ラジエータと並列接続されるバイパス通路と、
前記ラジエータおよび前記バイパス通路の結合点に配置され、前記制御部の指示に応じて前記ラジエータおよび前記バイパス通路のいずれかを選択し、または前記ラジエータおよび前記バイパス通路の双方の前記液媒体の通過の停止させることが可能な流量制御弁とを含む、請求項８に記載の車両の制御装置。
【発明の詳細な説明】
【技術分野】
【０００１】
本発明は、温度を保った状態で液媒体を一時的に蓄える蓄熱システムを搭載した車両の制御装置に関し、特に、内燃機関に液媒体を供給して、内燃機関の温度を制御する車両の制御装置に関する。
【背景技術】
【０００２】
自動車などに搭載される内燃機関が冷間状態で始動される場合には、吸気ポートや燃焼室等の壁面温度が低くなる。このため、燃料が霧化し難くなるとともに燃焼室の周縁部において消炎が発生し易くなり、始動性の低下や排気エミッションの悪化などが誘発される。
【０００３】
このような問題に対し、水冷式内燃機関において高温の冷却水を保温貯蔵する蓄熱装置を備え、内燃機関の始動時などに蓄熱装置に貯蔵されている冷却水を内燃機関へ供給することにより内燃機関の昇温を図り、始動性の向上や暖機の早期化を図る技術が提案されている。
【０００４】
たとえば、特開２００３−１８４５５３号公報（特許文献１）に開示された蓄熱装置を備えた内燃機関は、内燃機関のシリンダヘッドに形成され、熱媒体が流通する熱媒体流通路と、熱媒体流通路を流れる熱媒体の一部を保温貯蔵する蓄熱装置と、蓄熱装置から熱媒体流通路へ熱媒体を導く第１の熱媒体通路と、熱媒体流通路から蓄熱装置へ熱媒体を導く第２の熱媒体通路と、第１の熱媒体通路と第２の熱媒体通路とを択一的に導通させる通路切換手段とを備える。
【０００５】
この蓄熱装置を備えた内燃機関によると、通路切換手段が第１の熱媒体通路を導通させることにより、蓄熱装置内に保温貯蔵されている高温の熱媒体が第１の熱媒体通路を介して直接的に熱媒体流通路へ供給されるとともに、通路切換手段が第２の熱媒体通路を導通させることにより、熱媒体流通路内の高温の熱媒体が第２の熱媒体通路を介して直接的に蓄熱装置へ供給される。
【０００６】
このように熱媒体流通路と蓄熱装置との間で直接的に熱媒体の授受が行なわれると、蓄熱装置から熱媒体流通路へ熱媒体を供給する際の熱損失が最小限に抑制されるとともに、熱媒体流通路から蓄熱装置へ熱媒体を供給する際の熱損失も最小限に抑制される。この結果、熱媒体流通路内の熱媒体が持つ熱量が少ない場合であっても、その少ない熱量が効率良く蓄熱装置に蓄えられることになる。
【特許文献１】特開２００３−１８４５５３号公報
【発明の開示】
【発明が解決しようとする課題】
【０００７】
近年、冷却水温度を９０℃程度に制御することにより燃焼室温度を従前よりも高温に維持して燃費改善を図る技術が開発されている。燃焼室温を高温にすることにより熱損失が少なくなり、かつ潤滑油温も上昇し摩擦も小さくなる。
【０００８】
このような高温水制御では、エンジン負荷が高くなるとノッキングが発生しやすくなるという問題がある。しかしながら、特許文献１に開示された蓄熱装置を備えた内燃機関においては、内燃機関の昇温に着目したものに過ぎず、蓄熱装置をノッキング防止に利用することについては考慮されていない。
【０００９】
この発明の目的は、エンジンの燃焼室温を適切な温度に維持する蓄熱システムを備える車両の制御装置を提供することである。
【課題を解決するための手段】
【００１０】
この発明は、要約すると、内燃機関に設けられた流路を循環する液媒体の一部を保温貯蔵するための貯蔵部と、貯蔵部内の液媒体を内燃機関との間で循環させるための循環部とが搭載された車両の制御装置であって、内燃機関の温度を検知する第１の検知部と、内燃機関の負荷状態を検知する第２の検知部と、内燃機関の燃焼室温度が所定の上限温度に到達しないように定められたしきい値温度と検知された内燃機関の温度とに基づいて、貯蔵部内の液媒体の内燃機関への供給および供給の停止を行なうように、循環部を制御するための制御部とを備える。しきい値温度は、負荷状態に対応する内燃機関にノッキングが発生しない温度範囲内に定められ、負荷状態が通常負荷状態である場合よりも負荷の高い高負荷状態である場合のほうが低く定められる。
【００１１】
好ましくは、制御部は、内燃機関の始動時に貯蔵部内に流路から回収した液媒体を、高負荷状態が検出された場合に内燃機関に供給する。
【００１２】
好ましくは、第２の検知部は、内燃機関を通過した液媒体の温度に基づいて負荷状態を検知する。
【００１３】
好ましくは、第２の検知部は、内燃機関の吸気量に基づいて負荷状態を検知する。
【００１４】
好ましくは、第２の検知部は、内燃機関の回転数に基づいて負荷状態を検知する。
【００１５】
好ましくは、第２の検知部は、内燃機関のスロットル開度に基づいて前記負荷状態を検知する。
【００１６】
好ましくは、通常負荷状態に対応するしきい値温度は、高負荷状態に対応するしきい値温度よりも１０℃以上高く定められる。
【００１７】
好ましくは、車両は、内燃機関から送出される液媒体の放熱を行なう放熱部と、貯蔵部から送出される液媒体をと内燃機関に導くように構成された第１の経路と、液媒体を貯蔵部に取込むとともに貯蔵部に貯蔵されていた液媒体を内燃機関に向けて放出させる第１のポンプと、放熱部から送出される液媒体を内燃機関に導くように構成された第２の経路と、第２の経路上に配置され液媒体を内燃機関に向けて送出する第２のポンプとを備える。
【００１８】
より好ましくは、放熱部は、ラジエータと、ラジエータと並列接続されるバイパス通路と、ラジエータおよびバイパス通路の結合点に配置され、制御部の指示に応じてラジエータおよびバイパス通路のいずれかを選択し、またはラジエータおよびバイパス通路の双方の液媒体の通過の停止させることが可能な流量制御弁とを含む。
【発明の効果】
【００１９】
本発明によれば、燃焼室温度を高温領域に維持しつつ、高負荷運転を行なったときに適切に燃焼室温度の上昇を抑え、高燃費とノッキングの発生防止の両立を図ることができる。
【発明を実施するための最良の形態】
【００２０】
以下、図面を参照しつつ、本発明の実施の形態について詳しく説明する。なお、同一または相当の部品には同一の符号を付し、それらの説明は繰返さない。
【００２１】
［実施の形態１］
図１は、本実施の形態に係る制御装置の制御対象である蓄熱システムの制御ブロック図である。
【００２２】
図１に示す蓄熱システムは、内燃機関（エンジン）を搭載した車両に適用される。なお、この車両は、エンジンのみを搭載した車両であってもよいし、エンジンとバッテリにより駆動されるモータとを搭載したハイブリッド車両のいずれであってもよい。
【００２３】
図１に示すように、この蓄熱システムは、シリンダヘッド（以下、ヘッドと記載する。）１００およびシリンダブロック１１０に設けられた冷却水流路を流れる冷却水の一部を蓄熱タンク３１０に保温して貯蔵しておいて、その冷却水を必要に応じて蓄熱タンク３１０からヘッド１００やシリンダブロック１１０に供給する。
【００２４】
ヘッド１００およびシリンダブロック１１０とラジエータ４００またはラジエータバイパス通路４１０との間において、機械式ウォータポンプ２００により冷却水が循環される。ラジエータ４００およびラジエータバイパス通路４１０のいずれを通るかについては、流量制御弁４３０により制御される。
【００２５】
蓄熱タンク３１０からヘッド１００およびシリンダブロック１１０への冷却水の供給は電動式ウォータポンプ３００により行なわれる。蓄熱タンク３１０の入口および出口には図示しない逆流防止弁が取付けられており、電動式ウォータポンプ３００の停止時における冷却水の逆流が防止される。電動式ウォータポンプ３００を駆動することにより、蓄熱タンク３１０内の冷却水（温水であったり冷水であったりする）が三方弁６００を介してヘッド１００、シリンダブロック１１０、ヒータコア５００等に供給される。
【００２６】
三方弁６００は、全閉状態、全開状態（ポートＡ、ポートＢおよびポートＣを連通状態）、ポートＡとポートＢとを連通状態、ポートＡとポートＣとを連通状態、ポートＢとポートＣとを連通状態の５通りの状態を実現することができる。
【００２７】
また、この蓄熱システムは、温度センサとして、温度センサ１２０と、蓄熱タンク温度センサ３２０と、ラジエータ水温センサ４２０とを含む。
【００２８】
温度センサ１２０は、ヘッド１００に設けられヘッド１００の温度に応じて変化するエンジン冷却水温を検知する。蓄熱タンク温度センサ３２０は、蓄熱タンク３１０に設けられ貯蔵されている冷却水の温度を検知する。ラジエータ水温センサ４２０は、ラジエータ４００に設けられエンジンから送られてくる冷却水の温度とラジエータ４００の放熱能力とに応じて変化する冷却水温を検知する。これらの温度センサからの信号は、エンジンＥＣＵ（Electronic Control Unit）１０００に入力される。
【００２９】
さらに、この蓄熱システムは、エンジンの吸気量を検知する吸気量センサ１４０と、エンジン回転数を検知する回転数センサ１３０と、スロットル開度を検知するスロットル開度センサ１５０とを含む。これらのセンサからの信号もエンジンＥＣＵ１０００に入力される。
【００３０】
エンジンＥＣＵ１０００は、電動式ウォータポンプ３００、三方弁６００、流量制御弁４３０を制御する。流量制御弁４３０は、制御デューティを変更することにより、ラジエータ４００に流通する冷却水の流量およびラジエータバイパス通路４１０を流通する冷却水の流量を制御することができる。
【００３１】
このとき、流量制御弁４３０は、ラジエータ４００のみに冷却水を流すことができ、またラジエータバイパス通路４１０のみに冷却水を流すことができ、さらにラジエータ４００およびラジエータバイパス通路４１０の両方に冷却水を流すことができる。
【００３２】
流量制御弁４３０は、エンジンＥＣＵ１０００からラジエータ選択指令信号を受信すると、冷却水の全量をラジエータ４００に流すように流量を制御する。また、流量制御弁４３０は、エンジンＥＣＵ１０００からバイパス選択指令信号を受信すると、冷却水の全量をラジエータバイパス通路４１０に流すように、流量を制御する。さらに、流量制御弁４３０は、エンジンＥＣＵ１０００から指令信号を受信して、冷却水の一部をラジエータ４００に流して、残りの冷却水をラジエータバイパス通路４１０に流すように流量を制御することもできる。
【００３３】
また、エンジンＥＣＵ１０００は、電動式ウォータポンプ３００を駆動するモータの制御デューティを変更することにより、モータの回転数を制御して、電動式ウォータポンプ３００の吐出量を制御することができる。また、この制御は、電動式ウォータポンプ３００のモータの電圧を可変とすることにより行なってもよい。また、電動式ウォータポンプ３００のモータの通電時間を変更することにより、電動式ウォータポンプ３００の駆動時間を制御して、電動式ウォータポンプ３００から吐出される総冷却水量を制御するようにしてもよい。
【００３４】
図２は、図１のエンジンＥＣＵ１０００で実行されるプログラムの制御を説明するためのフローチャートである。このフローチャートはエンジン制御のメインルーチンから一定時間毎または所定の条件が成立するごとに呼び出されて実行される。
【００３５】
図１、図２を参照して、処理が開始されると、ステップＳ１においてエンジンの始動時か否かが判断される。たとえば、イグニッションキースイッチやパワースイッチがオンされた場合などに始動時であると判断される。
【００３６】
ステップＳ１において始動時であると判断された場合にはステップＳ２に処理が進み、始動時ではないと判断された場合にはステップＳ６に処理が進む。
【００３７】
ステップＳ２〜Ｓ５では、始動時においてエンジンの燃焼室を蓄熱タンク３１０に貯蔵されていた温水によって予熱するための処理を行なう。
【００３８】
まずステップＳ２において、エンジンＥＣＵ１０００は三方弁６００に対してポートＡとポートＢとを連通状態にするように制御信号を送信する。これにより蓄熱タンク３１０からヘッド１００に至る経路が形成される。ステップＳ２の処理が終了すると処理はステップＳ３に進む。
【００３９】
続いてステップＳ３においては、エンジンＥＣＵ１０００は流量制御弁４３０に対して全閉指令を出力する。全閉指令を受けると流量制御弁４３０は冷却水を流通させないので、ラジエータ４００とバイパス通路４１０は冷却水が流れない状態となる。これによりヘッド１００からシリンダブロック１１０、機械式ウォータポンプ２００を経由し電動式ウォータポンプ３００に至る経路が形成される。機械式ウォータポンプ２００はエンジン停止状態では動作していないので冷却水が逆流することが可能である。ステップＳ３の処理が終了すると処理はステップＳ４に進む。
【００４０】
ステップＳ４では、エンジンＥＣＵ１０００は電動式ウォータポンプ３００を駆動するモータに対して駆動指令を出力する。このとき、エンジンＥＣＵ１０００は、電動式ウォータポンプ３００を駆動するモータの制御デューティ、電圧または通電時間を制御して電動式ウォータポンプ３００から吐出される総冷却水量を制御する。そして、蓄熱タンク３１０に貯蔵されていた温水が吐出され、これによりヘッド１００およびシリンダブロック１１０が予熱される。代わりに冷えていたヘッド１００およびシリンダブロック１１０中の冷却水は蓄熱タンク３１０に取込まれる。
【００４１】
図３は、蓄熱システムにおける冷却水の流れを説明するための図である。
【００４２】
図３を参照して、蓄熱タンク３１０から吐出された温水は経路Ｐ３を通ってヘッド１００およびシリンダブロック１１０のウォータジャケットスペース（Ｗ／Ｊスペーサ）に注入される。そして経路Ｐ１を逆流する。経路Ｐ１はエンジン停止時においては機械式ウォータポンプ２００が停止しており、冷却水は逆流が可能である。そして、温水は経路Ｐ４を通り、ヘッド１００およびシリンダブロック１１０から押出された冷水が蓄熱タンク３１０に取込まれる。
【００４３】
再び図１、図２を参照して、ステップＳ４においてヘッド１００およびシリンダブロック１１０が予熱され、蓄熱タンク３１０中の冷却水の入替えが終了すると処理はステップＳ５に進む。ステップＳ５ではエンジンＥＣＵ１０００は電動式ウォータポンプ３００の駆動を停止する。そして処理はステップＳ１１に進み、制御がメインルーチンに戻る。
【００４４】
一方、ステップＳ１において始動時ではないと判断されステップＳ６に処理が進んだ場合には、エンジンの高負荷状態が検出されるか否かが判断される。例えば、ヘッド１００に取付けられた温度センサ１２０の出力によってエンジン温度が急上昇したことを検知した時、エンジン回転数が所定回転以上となった時、吸気量センサ１４０の出力によって吸気量が急に増加したことを検知した時、スロットル開度センサ１５０の出力によってスロットル開度が急に増加したことを検知した時またはこれらの条件の組合せによってエンジンが高負荷状態であると判断される。
【００４５】
ステップＳ６においてエンジンが高負荷状態でないと判断された場合には、処理はステップＳ１１に進み、制御がメインルーチンに戻る。
【００４６】
一方、ステップＳ６においてエンジンが高負荷状態であると判断された場合には、処理はステップＳ７に進む。
【００４７】
ステップＳ７〜Ｓ１０では、エンジンの燃焼室を蓄熱タンク３１０に貯蔵されていた冷水によって冷却するための処理を行なう。
【００４８】
すなわち、エンジンＥＣＵ１０００は、エンジンの温度に基づいて、前記内燃機関の燃焼室温度が所定のしきい値温度に到達しないように、蓄熱タンク３１０内の液媒体のエンジンへの供給および供給の停止を行なうように、電動式ウォータポンプ３００や流量制御弁４３０、三方弁６００を制御する。
【００４９】
エンジンＥＣＵ１０００は、エンジンの始動時に蓄熱タンク３１０内に流路から回収した冷水を、高負荷状態が検出された場合にエンジンに供給する。
【００５０】
まずステップＳ７において、エンジンＥＣＵ１０００は三方弁６００に対してポートＡとポートＢとを連通状態にするように制御信号を送信する。これにより蓄熱タンク３１０からヘッド１００に至る経路が形成される。ステップＳ７の処理が終了すると処理はステップＳ８に進む。
【００５１】
続いてステップＳ８においては、エンジンＥＣＵ１０００は流量制御弁４３０に対して指令を出力する。この指令を受けると流量制御弁４３０はバイパス通路４１０には冷却水を流通させず、ラジエータ４００に冷却水が流れる状態となる。これによりヘッド１００からラジエータ４００を経由し電動式ウォータポンプ３００に至る経路が形成される。機械式ウォータポンプ２００はエンジン運転状態では冷却水をシリンダブロック１１０に向けて送出している。ステップＳ８の処理が終了するとステップＳ９に進む。
【００５２】
ステップＳ９では、エンジンＥＣＵ１０００は電動式ウォータポンプ３００を駆動するモータに対して駆動指令を出力する。このとき、エンジンＥＣＵ１０００は、電動式ウォータポンプ３００を駆動するモータの制御デューティ、電圧または通電時間を制御して電動式ウォータポンプ３００から吐出される総冷却水量を制御する。蓄熱タンク３１０に貯蔵されていた冷水が吐出されこの冷水によりヘッド１００が冷却される。これにより、高負荷時において燃焼室が高温になってしまうことによるノッキングの発生が防止される。
【００５３】
図３に示すように、蓄熱タンク３１０から吐出された冷水は経路Ｐ３を通ってヘッド１００を冷却する。ヘッド１００を通過した冷却水は経路Ｐ２でラジエータ４００を経由する。そしてその一部は、機械式ウォータポンプ２００によって経路Ｐ１を流れシリンダブロック１１０のウォータジャケットスペースを冷却する。残りの冷却水は経路Ｐ４を通って蓄熱タンク３１０に取込まれる。
【００５４】
再び図２を参照して、ステップＳ９において蓄熱タンク３１０中の冷水の吐出が終了すると処理はステップＳ１０に進む。ステップＳ１０ではエンジンＥＣＵ１０００は電動式ウォータポンプ３００の駆動を停止する。そして処理はステップＳ１１に進み、制御がメインルーチンに戻る。
【００５５】
図４は、本発明が適用された蓄熱システムによるエンジン燃焼室の温度変化を説明するための図である。
【００５６】
図４を参照して、冷却能力が低い状態、例えばラジエータ４００による冷却が行われない状態で時刻ｔ０〜ｔ１において運転が行なわれており、時刻ｔ２においてエンジンが高負荷状態になると、従来においては一点鎖線Ｗ１で示すように温度上昇が大きくなりノッキングが発生しない臨界温度を超えてしまう。
【００５７】
このため、燃費が良好な高温の領域にエンジンの燃焼室の温度を維持することが困難であった。または、エンジン燃焼室の目標温度をノッキングが発生しない臨界温度に対して十分余裕を持った温度に設定しなければならなかったので、通常運転時における燃費向上の面ではさらに改善の余地があった。
【００５８】
一方、本発明に係る制御装置においては、実線Ｗ２で示すように、蓄熱タンクに貯蔵していた冷水を注入することにより急速に燃焼室を冷却可能であるので、ノッキングを発生させることなく燃費が良好な高温の領域にエンジンの燃焼室の温度を維持することができる。
【００５９】
また、燃焼室を通過した冷却水の上限温度目標値であるしきい値温度は、エンジンの負荷状態に対応してエンジンにノッキングが発生しない温度範囲内に定められる。すなわち、負荷状態が通常負荷状態である場合は温度Ｔ１程度に定められており、高負荷状態である場合には温度Ｔ１よりも低い温度Ｔ２に定められる。たとえば、通常負荷状態に対応するしきい値温度Ｔ１は、燃費をよくするため９０℃程度に定められ、高負荷状態に対応するしきい値温度Ｔ２はノッキングの発生を防止するためこれよりも温度の低い８０℃程度に定められる。つまり温度Ｔ１は温度Ｔ２よりも１０℃以上高く定められる。
【００６０】
エンジンＥＣＵ１０００は、このしきい値温度を超えないようにエンジンの負荷状態に応じてラジエータ４００等による放熱能力を調整し、かつ蓄熱タンクの冷却水を使用する。
【００６１】
すなわち、時刻ｔ０〜ｔ１において通常運転が行なわれており、時刻ｔ１において急加速が行なわれエンジン回転数ＮＥが増加開始し、時刻ｔ２において高負荷運転であると判断される回転数ＮＥ０に到達する。時刻ｔ０〜ｔ２においては、電動式ウォータポンプ３００は停止している。
【００６２】
すると時刻ｔ２において、エンジンＥＣＵ１０００は、燃焼室を通過した冷却水の上限側のしきい値温度をＴ１からＴ２に切換える。そして、エンジンＥＣＵ１０００が電動式ウォータポンプ３００を駆動するので、蓄熱タンク３１０に貯蔵されていた冷水はヘッド１００に注入される。すると実線Ｗ２に示すように時刻ｔ３において温度Ｔｈがしきい値温度Ｔ２を下回る。そしてエンジンＥＣＵ１０００は電動式ウォータポンプ３００を停止させる。
【００６３】
その後、エンジン回転数ＮＥが時刻ｔ４において回転数ＮＥ０より低下し、高負荷運転が終了し、その後時刻ｔ５においてエンジンＥＣＵ１０００は、燃焼室を通過した冷却水の上限温度目標値であるしきい値温度をＴ２からＴ１に戻す。
【００６４】
以上説明したように、実施の形態１によれば、燃焼室温度を高温領域に維持しつつ、高負荷運転を行なったときに適切に燃焼室温度の上昇を抑え、高燃費とノッキングの発生防止の両立を図ることができる。
【００６５】
［実施の形態２］
図５は、図２に共通して使用できる他の蓄熱システムの制御ブロック図である。
【００６６】
図５に示すように、この蓄熱システムも、実施の形態１と同様、エンジンＥＣＵ１０００により制御される。図１に示す制御ブロック図と異なる点は、三方弁６１０である。
【００６７】
この三方弁６１０は、実施の形態１において説明した図１の三方弁６００と同じ機能を有するが、その配置される位置が異なる。図１では、三方弁６００はヒータコア５００とヘッド１００との間に設けられ蓄熱タンク３１０の出口につながる通路が接続されていた。これに対し、図５の場合は、蓄熱タンク出口はシリンダブロック１１０に設けられた通路に接続され、三方弁６１０は、ヒータコア５００から機械式ウォータポンプ２００に至る経路上の電動式ウォータポンプ３００への分岐点に配置されている。
【００６８】
このような図５に示す蓄熱システムにおいても、図２に示すフローチャートにより表わされるプログラムをエンジンＥＣＵ１０００により実行することにより、熱損失を少なく抑え、かつエンジンフリクションロスを低下させて燃費を向上させることができる。
【００６９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７０】
【図１】本実施の形態に係る制御装置の制御対象である蓄熱システムの制御ブロック図である。
【図２】図１のエンジンＥＣＵ１０００で実行されるプログラムの制御を説明するためのフローチャートである。
【図３】蓄熱システムにおける冷却水の流れを説明するための図である。
【図４】本発明が適用された蓄熱システムによるエンジン燃焼室の温度変化を説明するための図である。
【図５】図２に共通して使用できる他の蓄熱システムの制御ブロック図である。
【符号の説明】
【００７１】
１００  ヘッド、１１０  シリンダブロック、１２０  温度センサ、１３０  回転数センサ、１４０  吸気量センサ、１５０  スロットル開度センサ、２００  機械式ウォータポンプ、３００  電動式ウォータポンプ、３１０  蓄熱タンク、３２０  蓄熱タンク温度センサ、４００  ラジエータ、４１０  ラジエータバイパス通路、４２０  ラジエータ水温センサ、４３０  流量制御弁、５００  ヒータコア、６００，６１０  三方弁、Ａ，Ｂ，Ｃ  ポート、１０００  エンジンＥＣＵ。
【図１】
2006207448.tif 000003
【図２】
2006207448.tif 000004
【図３】
2006207448.tif 000005
【図４】
2006207448.tif 000006
【図５】
2006207448.tif 000007